(57)【要約】【課題】薄型ソフトパッケージ商品の展示販売、貸し出しに適した商品陳列用の物品懸架装置を提供する。【解決手段】前面側に物品保持部１１を有し背面側に懸架部２６を有するトレイ形の物品懸架ユニット本体４と、物品懸架ユニット本体４を懸架面に形成した懸架孔３２ａに係止させるフック６とを有し、懸架部２６の上辺には係止孔２６ａが形成され、フック６のフック部６ａの前辺に一体に突出形成された係止突起６ｃが懸架部２６の係止孔２６ａに係合された状態で、懸架面に対し懸架ユニット本体４を後傾状に懸架させる。【選択図】      図４
2005177142.tif 000002
【特許請求の範囲】
【請求項１】
前面側に物品保持部を有し背面側に懸架部を有する物品懸架ユニット本体と、物品懸架ユニット本体を懸架面に形成した懸架孔に係止させるフックとを有し、
前記懸架ユニット本体は、その懸架部が開放部を下向きとした略コ形若しくは略逆Ｕ形溝状に形成されるとともに、懸架部の上辺には係止孔が形成されており、
前記フックは、開放部を上向きとした略コ形若しくは略Ｕ形に形成されたフック部と、フック部の後部に突出形成された係止部とが、一体に折曲状に形成されるとともに、フック部の前辺の上面には、係止突起が一体に突出形成されており、
前記物品懸架ユニット本体を前記フックを介して、前記懸架面に形成した懸架孔に係止させた時に、前記懸架部の係止孔に前記フックの係止突起が係合されることを特徴とする物品懸架装置。
【請求項２】
前面側に物品保持部を有し背面側に懸架部を有する物品懸架ユニット本体と、物品懸架ユニット本体を懸架面に形成した懸架孔に係止させるフックとを有し、
前記フックは、開放部を上向きとした略コ形若しくは略Ｕ形に形成されたフック部と、フック部の後辺に後方に突出形成された基部と、基部の後縁に上方に突出形成された係止部とが、一体に折曲状に形成され、
前記物品懸架ユニット本体を前記フックを介して、前記懸架面に形成した懸架孔に係止させた時に、物品懸架ユニット本体が懸架面の懸架孔の縁部においてフックの基部を中心として自重により回動して、物品懸架ユニット本体の背面の少なくとも一部が、前記懸架面に当接されることを特徴とする物品懸架装置。
【請求項３】
前面側に物品保持部を有し背面側に懸架部を有する物品懸架ユニット本体と、物品懸架ユニット本体を懸架面に形成した懸架孔に係止させるフックとを有し、
前記物品懸架ユニット本体は、矩形状の背面板と、背面板の上部の背部に開放部を下向きとした略コ形若しくは略逆Ｕ形溝状に形成され懸架部と、背面板の下部の前部に形成された底板と底板の前部に立設された前面板とよりなる物品保持部と、背面板の左右に設けた側板とを有し、懸架部の上辺には、１個又は横方向数個の孔を一組とした一組又は複数組の係止孔が形成され、
前記フックは、開放部を上向きとした略コ形若しくは略Ｕ形に形成されたフック部と、フック部の後辺に後方に突出形成された基部と、基部の後縁に上方に突出形成された係止部とが、一体に折曲状に形成されるとともに、フック部の前辺の上面には、係止突起が一体に突出形成されており、
前記物品懸架ユニット本体を前記フックを介して、前記懸架面に縦横マトリックス状配置で多数形成された懸架孔の何れかに係止させた時に、前記懸架部の係止孔に前記フックの係止突起が係合されるとともに、物品懸架ユニット本体が懸架面の懸架孔の縁部においてフックの基部を中心として自重により回動して、物品懸架ユニット本体の背面の少なくとも一部が、前記懸架面に当接されることを特徴とする物品懸架装置。
【請求項４】
前記懸架ユニット本体を構成する背面板と懸架部と物品保持部とは、物品保持部に、ＤＶＤ等の薄型ソフト商品が前後方向に複数個重合して載置されるとともに幅方向に複数個並設される横長形状とされ、懸架部の上辺の少なくとも左右に形成される係止孔に、左右の前記フックの係止突起が係合された状態で、懸架ユニット本体が少なくとも左右のフックにより前記懸架面に懸架されることを特徴とする請求項３に記載の物品懸架装置。
【請求項５】
前記懸架ユニット本体を構成する背面板と懸架部と物品保持部とは、物品保持部に、一枚のＤＶＤ等の薄型ソフト商品が前後方向に複数個重合して載置される横幅とされ、懸架部の上辺に形成された係止孔に前記フックの係止突起が係合された状態で、懸架ユニット本体がフックにより前記懸架面に懸架されることを特徴とする請求項３に記載の物品懸架装置。
【請求項６】
前記背面板の前面に物品幅に仕切られた透明板を配置し、透明板と背面板との隙間に、物品の内容を印刷したカードを脱着可能に挿通することを特徴とする請求項３乃至５のいずれか１項に記載の物品懸架装置。
【請求項７】
前記前面板の前面に透明板を配置し、透明板と前面板との隙間に、物品のジャンル、コマーシャルなどを印刷したカードを脱着可能に挿通することを特徴とする請求項３乃至６のいずれか１項に記載の物品懸架装置。
【請求項８】
前記懸架部は、その内部の懸架溝の下縁と両側が、前記懸架ユニット本体の背面と両側面に開口し、前記フックのフック部が懸架部の両側開口から懸架溝内に挿入せしめられた状態で、懸架ユニット本体の背面にフックが係合されることを特徴とする請求項１乃至７のいずれか１項に記載の物品懸架装置。
【発明の詳細な説明】
【技術分野】
【０００１】
本発明は、特に、ＤＶＤ，ＣＤ，ＭＤなどの薄型ソフトパッケージ商品の販売、貸し出しなど用の展示に適した物品懸架装置に関する。
【背景技術】
【０００２】
ビデオソフト販売店、ビデオレンタルショップなどにおいて、ＤＶＤ，ＣＤ，ＭＤなどの薄型ソフトパッケージ商品の販売、貸し出しに際してこれらを陳列しておく場合、これらは寸法そのものが小さく、規格化された薄型のメディア媒体であるため、本やカセットビデオテープなどのように背表紙を展示面側に向けた販売方法では、ユーザにとっては判読が難しく、見過ごしてしまう場合がある。
したがって、ユーザに対して注意を引きつけつつ販売、貸し出しを行うには、パッケージ表面に差し込まれたタイトル印刷面を展示側に向ける必要がある。
【発明の開示】
【発明が解決しようとする課題】
【０００３】
また、売れ筋の人気ソフトの場合、展示用ラックの展示面側から奥行き方向に多数配列したのでは、倒れ込み現象が生じ、しかも前側に倒れた場合には転落などの事故が生ずる虞もあるため、展示箇所一箇所あたりの格納枚数はせいぜい２〜３枚止まりで、横方向にも配列し、しかも手に取りやすい反面、転落の防止処置も施す必要がある。
このように、一箇所あたりの収容枚数が少ない場合には、収容場所がすぐに空になってしまうため、空になった場合には直ちに在庫商品を当該収納箇所に補填する必要があり、該補填作業に手間がかかり、補填作業中商品を落とす危険もある。
【０００４】
そこで本発明は、以上の薄型ソフトパッケージ商品の展示販売、貸し出しに適した商品陳列用の物品懸架装置を提供するものである。
【課題を解決するための手段】
【０００５】
前記目的を達成するため、本発明の物品懸架装置１は、図の実施の形態にも示すように、前面側に物品保持部１１を有し背面側に懸架部２６を有するトレイ形の物品懸架ユニット本体４と、物品懸架ユニット本体４を懸架面に形成した懸架孔３２ａに係止させるフック６とを有している。懸架ユニット本体４は、その上面背部の懸架部２６が開放部を下向きとした略コ形若しくは略逆Ｕ形溝状に形成されるとともに、懸架部２６の上辺には係止孔２６ａが形成されており、フック６は、開放部を上向きとした略コ形若しくは略Ｕ形に形成されたフック部６ａと、フック部６ａの後方に突出形成された係止部６ｂとが、一体に折曲状に形成されるとともに、フック部６ａの前辺の上面中央には、係止突起６ｃが一体に突出形成されている。そして、物品懸架ユニット本体４を１個乃至複数個のフック６を介して、懸架孔３２ａに係止させた時に、懸架部２６の係止孔２６ａにフック６の係止突起６ｃが係合されることを特徴としている。懸架面は、自立性のラックの壁面や建造物の壁面に直接形成され、或いは、壁面に沿って設けられた孔明きボード等によって形成される。
【０００６】
また、本発明の物品懸架装置１では、上記フック６は、開放部を上向きとした略コ形若しくは略Ｕ形に形成されたフック部６ａと、フック部６ａの後辺に後方に突出形成された基部６ｄと、基部６ｄの後縁に上方に突出形成された係止部６ｂとが、一体に折曲状に形成された短寸の金具若しくは合成樹脂具であって、物品懸架ユニット本体４を１個乃至複数個のフック６を介して、懸架面に形成した懸架孔３２ａに係止させた時に、物品懸架ユニット本体４が懸架面の懸架孔３２ａの縁部においてフック６の基部６ｄを中心として自重により回動して、物品懸架ユニット本体４の背面の少なくとも一部が、懸架面に当接されることを特徴としている。
【０００７】
またさらに、本発明の物品懸架装置１では、上記物品懸架ユニット本体４は、矩形状の背面板１４と、背面板１４の上部の背部に開放部を下向きとした略コ形若しくは略逆Ｕ形溝状に形成された懸架部２６と、背面板１４の下部の前部に形成された底板１２と底板１２の前部に立設された前面板１６とよりなる物品保持部１１と、背面板１４の左右に設けた側板１８と、背面板１４の背面より後方に突出する水平プレート状のストッパ３０とを有している。物品懸架ユニット本体４を構成する背面板１４と懸架部２６と物品保持部１１とストッパ３０とは左右幅が略同一である。そして、懸架部２６の上辺の複数位置には、１個又は横方向数個（図では３個）の孔を一組とした複数組（図では左右一対）の係止孔２６ａが形成されている。フック６は、開放部を上向きとした略コ形若しくは略Ｕ形に形成されたフック部６ａと、フック部６ａの後辺に後方に略水平に突出形成された基部６ｄと、基部６ｄの後縁に上方に突出形成された図では二股状の係止部６ｂとが、一体に折曲状に形成されるとともに、フック部６ａの前辺の上面中央には、係止突起６ｃが一体に突出形成されている。物品懸架ユニット本体４を複数個（図では左右２個）のフック６を介して、懸架面に縦横マトリックス状配置で多数形成された懸架孔３２ａの何れかに係止させた時に、懸架部２６の係止孔２６ａにフック６の係止突起６ｃが係合されるとともに、物品懸架ユニット本体４が懸架面の懸架孔２６ａの縁部においてフック６の基部６ｄを中心として自重により回動して、物品懸架ユニット本体４の少なくとも一部（実施の形態ではストッパ３０）が、懸架面に当接されることを特徴としている。
【０００８】
上記物品懸架ユニット本体４は、薄型ソフト商品２が、前後方向に複数個重合して載置されるとともに、幅方向に複数個並設される横長形状とすることが出来る。この場合には、複数個のフック６を用いて懸架ユニット本体４の少なくとも左右を懸架させる。物品懸架ユニット本体４を一枚の薄型ソフト商品２が幅方向に載置される短寸とすることも出来、この場合には、一個のフック６で懸架させることも可能である。
【０００９】
上記本発明の構成において、上記物品保持部１１の背面板１４の前面に商品２の物品パッケージ幅毎に仕切られた透明板２２を配置し、各仕切毎に透明板２２と背面板１４との隙間に、商品ソフトの内容を印刷したカード８を脱着可能に挿通することができる。
【００１０】
また、上記物品保持部１１の前面板１６の前面に透明板２４を配置し、透明板２４と前面板１６との隙間に、商品ソフトのジャンル、コマーシャルなどを印刷したテープ状のカード１０を脱着可能に挿通することができる。
【００１１】
また、懸架部２６は、その内部の懸架溝の下縁と両側が、懸架ユニット本体４の背面と両側面に開口しているが、フック６のフック部６ａは、懸架部２６の両側開口からのみ懸架溝内に挿入せしめられた状態で、懸架ユニット本体４の背面にフック６が係合される。  このように、フック６は、懸架部２６の両側開口からのみ懸架溝内に挿入せしめられ、懸架部２６の背面になる懸架溝の下縁からは挿入及び離脱が出来ないことから、フック６の係合状態が安全確実である。フック６を懸架ユニット本体４の背面に挿入して取り付けた状態で、懸架面に取り付けることもでき、フック６を懸架面に取り付けた状態で、懸架ユニット本体４をフック６に側方から挿入させるようにして、懸架させることもできる。
【００１２】
上記本発明に係る物品懸架装置１では、ラックやボード等の垂直若しくは後方に傾斜状の懸架板３２の懸架面に、フック６を介して、トレイ状の懸架ユニット本体４を懸架させる。この場合、フック６の係止部６ｂを懸架面の任意の懸架孔３２ａに差し込み係止させ、フック６のフック部６ａを懸架ユニット本体４の懸架部２６に係合させて懸架させる。懸架ユニット本体４内にソフト商品２を補充し、或いは、入れ換える時には、懸架ユニット本体４を懸架面からそっくり外して、床面或いは販売店の事務所内において作業をすることができ、安全である。
【００１３】
この時、フック６の係止突起６ｃが、懸架ユニット本体４の懸架部２６の係止孔２６ａに係合し、懸架位置が定まり、懸架状態が安定する。また、フック６のフック部６ａを懸架部２６内に側方から差し込み、横方向に滑らせるようにして、上記係止突起６ｃを上記係止孔２６ａに係合させることにより、フック６を懸架ユニット本体４の懸架部２６の所定係合位置に容易に位置決め係合させることができる。また、この懸架状態において、物品懸架ユニット本体４が懸架面の懸架孔２６ａの縁部においてフック６の基部６ｄを中心として自重により回動して、懸架ユニット本体４は、下部が前方に突出する後傾状態に保持され、これにより、物品保持部１１内に収納される物品（ソフト商品２）も後傾状態となって安定し、脱落するなどの不都合もない。
【発明の効果】
【００１４】
したがって、本発明では、トレイ状の懸架ユニット本体４を懸架面から取り外した状態で、商品２の補充、入れ換えなどの作業をすることができ、その作業が安全で能率的である。
【００１５】
また、懸架ユニット本体４は、フック６により懸架面の懸架孔に懸架されるが、フック６の係止突起６ｃが懸架ユニット本体４の係止孔２６ａに係合された状態で懸架され、フック６と懸架ユニット本体４の係止状態が確実で、フック６を懸架部２６の側方開口より挿入し、スライドさせるようにして係止できるところから、フック６の位置決め係止作業も容易である。
【００１６】
トレイ状の懸架ユニット本体４は、懸架面に対し、フック６の基部を中心として自重により回動して後傾状に当接保持されることから、その懸架状態が安定し、商品２などが前方に脱落する危険もない。
【発明を実施するための最良の形態】
【００１７】
以下、本発明の好ましい実施の形態に付き添付図面を参照して説明する。図１は本発明に係る物品懸架ユニット本体の正面（Ａ）、平面（Ｂ）及び側断面図（Ｃ），図２は本発明に係る物品懸架装置の部品構成を示す分解斜視図、図３は同要部を拡大して示す断面斜視図、図４は壁面取付状態を示す拡大断面図である。
【００１８】
図における懸架装置１は、横方向に複数組（図では６組）、奥行き方向に数枚（図では３枚）程度のＤＶＤなどの薄型ソフトパッケージ商品２を収納可能とした横長状のトレイ形懸架ユニット本体４と、懸架ユニット本体４を懸架板３２に縦横マトリクス状に多数形成された懸架孔３２ａ（図４参照）のいずれかに壁掛け式に固定するための一対のフック６、展示用カード８及び横長状のポップカード１０とから概略構成される。このうちカード８、１０は展示する商品２に応じて懸架ユニット本体４に対して脱着可能となっている。
【００１９】
懸架ユニット本体４は、横長矩形状の背面板１４の上部の背部に開放部を下向きとした略コ形若しくは逆Ｕ字形の懸架部２６を一体に備え、背面板１４の下部の前部に開放部を上向きとした略コ形の物品保持部１１を一体に備えている。物品保持部１１は、数枚（２〜３枚）の商品２を縦列状態に収容可能な幅に形成された底板１２と、底板１２の背面に一体に立設された上記背面板１４と、底板１２の前面にやや前傾状態に立設された前面板１６及び両側面板１８とを備えている。背面板１４の高さは商品２の高さより十分高く、また前面板１６の高さは商品２の取り出しを考慮して十分低い高さとなっている。
【００２０】
背面板１４の前面には、仕切２０によって横方向に複数（図では６つ）に区画された透明板２２が一体に配置され、背面板１４との隙間に前記カード８を着脱可能に挿通できるようにしている。なお、各区画の中央には半円弧状の抜き取り用凹部２２ａが形成され、カード８の脱着を容易にしている。
【００２１】
前面板１６の前面には同じく中央に抜き取り用凹部２４ａを形成した透明板２４が配置され、前面板１６との隙間に前記テープ状のポップカード１０を着脱可能に挿通できるようにしている。
【００２２】
なお、前記商品２の前面内側には、当該ソフトのタイトル、キャラクター、物語内容、配給会社などを印刷した用紙が差し込まれ、その内部にＤＶＤ本体が収容されているのが一般的であり、これに応じてカード８には同一内容を印刷しておくことにより、当該箇所の商品２が売り尽くされ、空となった場合に、カード８を見て直ちに同一ソフト商品２を同一場所に補填できる。
【００２３】
また、前記ポップカード１０は商品２のソフト内容のジャンル別分類内容や、あるいは商品２が売れ筋商品でありユニット懸架ユニット本体４全てに同一ソフトの商品２が収容されて展示販売される場合に、その宣伝媒体として用いるものであり、それに応じた印刷がなされる。
【００２４】
さらに背面板１４の上部背面には略コ字形下向き溝よりなる懸架部２６が形成され、その下部にはフック脱落防止用の棚部２８が形成されている。背面板１４の左右上部にはそれぞれ、前記懸架部２６に連通する複数（図では三つ）の係止孔２６ａが幅方向に近接して形成され、懸架部２６内に挿通される前記フック６の先端係止突起６ｃを挿入係止するようになっている。懸架ユニット本体４の両側には、側板１８が添設されている。側板１８の懸架部２６内の懸架溝の両側開口（懸架部２６の壁部と棚部２８によって囲まれた部分）に対応する箇所には切欠１８ａが形成され、これにより、フック６のフック部６ａは、懸架溝の両側開口（切欠１８ａ）からのみ、懸架溝内に挿入係合され、懸架溝の下縁がスリット状に開口する懸架ユニット本体４の背面からは、挿脱不可とされている。
【００２５】
また、背面板１４背面の下部側にはその長手方向に沿って懸架ユニット本体４を、懸架面に対し後傾位置に保持するためのプレート状のストッパ３０が一体に突出形成されている。
【００２６】
前記フック６は金属プレス成形体であって、特に図２，３に示すように、断面略Ｕ字形に形成された懸架ユニット本体４係止用のフック部６ａと、フック部６ａの背面にＬ字形をなして突出形成された基部６ｄ及び壁面係止用の係止部６ｂと、フック部６ａの先端上部中央に突設され、前記係止孔２６ａに挿通される係止突起６ｃとからなり、前記懸架部２６にフック部６ａを差込み、長さ方向に移動し、前記係止孔２６ａのうちの一つに係止突起６ｃを差し込むことで、位置決めされる。係止部６ｂは、二股状に形成され、略Ｌ形に上方に突出されるとともに水平基部６ｄに対しやや前傾状に折り曲げ形成されている。
【００２７】
他方、図４に示すごとく、自立性ラックや建造物の内装壁面５の前面には、所定の隙間を開けて展示用ラックなどの懸架板３２が固定されており、この懸架板３２は縦横マトリックス状配置で多数の懸架孔３２ａが開口され、前記係止部６ｂを懸架孔３２ａに差し込むことで、懸架板３２の背面側に係止され、懸架装置１の懸架ユニット本体４を懸架状態に固定できる。この際、ストッパ３０が懸架面に度当たりして、懸架ユニット本体４を所定角度θ分後傾姿勢に保持し、これによって商品２は常時後傾姿勢に保持され、脱落が防止されることになる。
【００２８】
なお、懸架板３２にフック６を予め取付け、これに懸架ユニット本体４を装着することもできるし、予め懸架ユニット本体４側にフック６を取付け、これを懸架板３２側に位置決め装着することもできる。いずれにおいてもフック６の左右調整には係止孔２６ａの選択により、調整可能である。
【００２９】
なお、本実施の形態では、懸架ユニット本体４を横方向に６組の商品２を収容する大きさに形成した場合について説明したが、任意の複数組又は１個の商品２を収容する大きさに形成させることが出来、その幅方向若しくは厚み方向の大きさについては自由に変更できることは勿論である。
【産業上の利用可能性】
【００３０】
ＤＶＤ、音楽ＣＤ、ＣＤロム、ＭＤなどの薄型パッケージに格納されたコンテンツの展示販売、貸し出し用の懸架装置に適用可能である。その他の商品、又は家庭用の物品の懸架装置としても利用可能である。
【図面の簡単な説明】
【００３１】
【図１】本発明に係る懸架装置の本体を示す正面図、上面図、側断面図である。
【図２】同懸架装置における本体及びこれに取り付けられる各種部品を示す分解斜視図である。
【図３】同要部を拡大して示す断面斜視図である。
【図４】同壁面取付状態を示す拡大断面図である。
【符号の説明】
【００３２】
１  物品懸架装置
２  商品
４  懸架ユニット本体
５  壁面
６  フック、６ａ  フック部、６ｂ  係止部、６ｃ  係止突起、６ｄ  基部
８  カード
１０  カード
１１  物品保持部
１２  底板
１４  背面板
１６  前面板
１８  側板
２０  仕切
２２，２４  透明板
２６  懸架部
２６ａ  係止孔
２８  棚部
３０  ストッパ
３２  懸架板
３２ａ  懸架孔
【図１】
2005177142.tif 000003
【図２】
2005177142.tif 000004
【図３】
2005177142.tif 000005
【図４】
2005177142.tif 000006